(57)【特許請求の範囲】
【請求項１】
伝送速度とは無関係な光受信装置において、
入力された光信号を光電変換した光感知信号を出力し、前記光感知信号の伝送速度を示した電圧レベルを有する伝送速度感知信号を出力する伝送速度感知部と、
前記伝送速度が変更された場合に変化感知信号を出力する変化感知部と、
前記伝送速度感知部の内部温度を感知し、前記内部温度を示す温度感知信号を出力する温度感知部と、
予め設定された基準クロックによって前記光感知信号のデータ及びクロックを再生し、クロック補正信号が受信される場合に前記クロック補正信号に対応する基準クロックに基づいて前記光感知信号のデータ及びクロックを再生する信号再生部と、
前記変化感知信号が受信される場合に前記伝送速度感知信号の電圧レベルから前記光感知信号の伝送速度値を算出し、前記温度感知信号が示す温度値に基づいて前記算出された伝送速度値の温度による誤差を補償した温度補償された伝送速度値を算出し、前記温度補償された伝送速度値を示すクロック補正信号を前記信号再生部に出力する制御部と
を含むことを特徴とする伝送速度とは無関係な光受信装置。
【請求項２】
前記制御部は前記温度補償された伝送速度値を算出する場合、予め貯蔵されているルックアップテーブルから前記温度による伝送速度値の誤差を読み出し、前記読み出された誤差を補償した温度補償された伝送速度値を算出することを特徴とする請求項１に記載の伝送速度とは無関係な光受信装置。
【請求項３】
伝送速度とは無関係な光受信装置において、
それぞれ入力された光信号を光電変換した光感知信号を出力し、前記光感知信号の伝送速度を示した電圧レベルを有する伝送速度感知信号を出力する多数の伝送速度感知部と、
それぞれ前記伝送速度感知部に連結され該当光感知信号の伝送速度が変更された場合に変化感知信号を出力する多数の変化感知部と、
それぞれ前記伝送速度感知部に連結され内部温度を感知し、前記内部温度を示す温度感知信号を出力する多数の温度感知部と、
それぞれ予め設定された基準クロックによって前記各伝送速度感知部に対応する光感知信号のデータ及びクロックを再生し、クロック補正信号が受信される場合に前記クロック補正信号に対応する基準クロックによって前記光感知信号のデータ及びクロックを再生する多数の信号再生部と、
前記多数の伝送速度感知部の中、変化感知信号を出力する伝送速度感知部を識別し、前記識別された伝送速度感知部が出力する伝送速度感知信号の電圧レベルから該当光感知信号の伝送速度値を算出し、該当温度感知信号が示す温度値に基づいて前記算出された伝送速度値の温度による誤差を補償した温度補償された伝送速度値を算出し、前記温度補償された伝送速度値を示すクロック補正信号を前記識別された伝送速度感知部に対応する信号再生部に出力する制御部と
を含むことを特徴とする伝送速度とは無関係な光受信装置。
【請求項４】
前記制御部の入出力信号に対する伝達媒体としてインタフェース部をさらに備えることを特徴とする請求項３に記載の伝送速度とは無関係な光受信装置。
【請求項５】
前記制御部は前記温度補償された伝送速度値を算出する場合、予め貯蔵されているルックアップテーブルから前記温度による伝送速度値の誤差を読み出し、前記読み出された誤差を補償した温度補償された伝送速度値を算出することを特徴とする請求項３に記載の伝送速度とは無関係な光受信装置。
【発明の詳細な説明】
【０００１】
【発明の属する技術分野】
本発明は光伝送装置に関したもので、特に入力光信号の伝送速度とは無関係な光受信装置に関する。
【０００２】
【従来の技術】
光伝送システムでは多様なプロトコル（ｐｒｏｔｏｃｏｌ）とそれによる多様な伝送速度（ｂｉｔ  ｒａｔｅ）が採用されることができる。例えば、ＦＤＤＩ（Ｆｉｂｅｒ  Ｄｉｓｔｒｉｂｕｔｅｄ  Ｄａｔａ  Ｉｎｔｅｒｆａｃｅ）、ＥＳＣＯＮ（Ｅｎｔｅｒｐｒｉｓｅ  Ｓｙｓｔｅｍｓ  ＣＯＮｎｅｃｔｉｖｉｔｙ）、光ファイバチャネル（Ｆｉｂｅｒ  Ｃｈａｎｎｅｌ）、ギガビットイーサネット（登録商標）（Ｇｉｇａｂｉｔ  Ｅｔｈｅｒｎｅｔ（登録商標））、ＡＴＭ（Ａｓｙｎｃｈｒｏｎｏｕｓ  Ｔｒａｎｓｆｅｒ  Ｍｏｄｅ）などがあり、その伝送速度はそれぞれ１２５Ｍｂ／ｓ、１５５Ｍｂ／ｓ、２００Ｍｂ／ｓ、６２２Ｍｂ／ｓ、１０６２Ｍｂ／ｓ、１．２５Ｇｂ／ｓ、２．５Ｇｂ／ｓなどに多様である。このように、多様なプロトコルとそれによる伝送速度の中、該当光伝送システムに適切な一つのプロトコル／伝送速度が適切に選択され採用される。このような一つのプロトコル／伝送速度が採用された光伝送システムでは光信号の伝送速度が予め設定されているので、前記光伝送システムに使用される光受信装置は前記設定された伝送速度に合わせて設計されている。前記光受信装置は入力された光信号を電気信号に変換し、前記電気信号から雑音が除去された元のデータを復元する機能を遂行する。
【０００３】
図１は従来の伝送速度とは無関係な光受信装置を示す図である。図１に示したように前記光受信装置は光電変換部１１０、増幅部１２０、伝送速度感知部１３０、伝送速度判断部１４０、基準クロック発生部１５０及びＣＤＲ（Ｃｌｏｃｋ  ａｎｄ  Ｄａｔａ  Ｒｅｃｏｖｅｒｙ）１６０により構成される。
【０００４】
前記光電変換部１１０は入力された光信号を光電変換し、その変換された光感知信号１１５を出力する機能を遂行する。前記光電変換部１１０には通常的にフォトダイオード（ｐｈｏｔｏｄｉｏｄｅ）が使用される。
【０００５】
前記増幅部１２０は前記光電変換部１１０から出力された前記光感知信号１１５を増幅し、その増幅された光感知信号１２５を出力する。前記増幅された光感知信号１２５の電圧レベル（ｌｅｖｅｌ）は規格化されている。即ち、前記増幅された光感知信号１２５の最大電圧レベルは“１”、前記最小電圧レベルは“０”に設定されている。
【０００６】
前記伝送速度感知部１３０は前記規格化された光感知信号１２５の伝送速度に比例するパルス（ｐｕｌｓｅ）数を有する電気信号を発生し、前記電気信号をフィルタリング（ｆｉｌｔｅｒｉｎｇ）した後、ディジタル信号（ｄｉｇｉｔａｌ  ｓｉｇｎａｌ）に変換した伝送速度感知信号１３８を出力する。前記伝送速度感知信号１３８の電圧レベルは前記光感知信号１２５、即ち、入力光信号の伝送速度に比例する値を有する。
【０００７】
図２は前記伝送速度感知部１３０を示した図である。図２に示したように、前記伝送速度感知部１３０はバッファ（ｂｕｆｆｅｒ）１３１、遅延器１３２、演算器１３４、フィルタ１３６及びＡ／Ｄ変換器（ａｎａｌｏｇｕｅ／ｄｉｇｉｔａｌ  ｃｏｎｖｅｒｓｉｏｎ）１３７により構成される。
【０００８】
前記バッファ１３１は前記増幅部１２０から受信された光感知信号１２５を前記遅延器１３２及び演算器１３４に分配する。
【０００９】
前記遅延器１３２は前記光感知信号１２５をある程度遅延させた遅延信号１３３を発生して、前記遅延信号１３３を前記演算器１３４に出力する。
【００１０】
前記演算器１３４は前記バッファ１３１から直接受信された光感知信号１２５と前記遅延器１３２から受信された遅延信号１３３を排他的論理和演算して、その認識信号１３５を出力する。この時、前記認識信号１３５は前記遅延器１３２の遅延時間と同一の間隔のハイレベル（ｈｉｇｈ  ｌｅｖｅｌ）区間を有する多数のパルスに示される。このような過程を通じて入力された光感知信号１２５の伝送速度差異によって前記認識信号１３５のパルス数に差異が生じ、その差異は前記光感知信号１２５の伝送速度に比例する。
【００１１】
前記フィルタ１３６は前記演算器１３４から受信された認識信号１３５をロウパスフィルタリング（ｌｏｗ−ｐａｓｓ  ｆｉｌｔｅｒｉｎｇ）して出力する。
【００１２】
前記Ａ／Ｄ変換器１３７は前記フィルタリングされたアナログ信号をディジタル信号に変換した伝送速度感知信号１３８を出力する。
【００１３】
さらに図１を参照すると、前記伝送速度判断部１４０は前記伝送速度感知信号１３８の電圧レベルから前記光感知信号１２５の伝送速度を判断し、その判断された伝送速度を示すクロック補正信号１４５を出力する。
【００１４】
前記基準クロック発生部１５０は前記クロック補正信号１４５による基準クロックを発生させ、前記ＣＤＲ１６０は前記基準クロックによって前記光感知信号１２５のデータ及びクロックを再生して出力する。
【００１５】
しかし、上述した従来の伝送速度とは無関係な光受信装置は光信号ごとに伝送速度感知部と伝送速度判断部が割り当てられる構造を有している。これによって、相異なる伝送速度を有する多数の光信号を入力とする光電回線分配装置（ｏｐｔｏ−ｅｌｅｃｔｒｉｃ  ｃｒｏｓｓ  ｃｏｎｎｅｃｔ  ｓｙｓｔｅｍ：ＯＥＸＣ）に適用される場合、その中央集中化、即ち多数の伝送速度感知部と多数の伝送速度判断部を別に管理するものが容易でないとの問題点がある。
【００１６】
また、従来の伝送速度とは無関係な光受信装置は信号を処理する素子と前記信号処理素子を制御する制御素子をそれぞれモジュール化することが難しいとの問題点がある。これによって、信号処理素子の追加、または除去が容易でないようになる。
【００１７】
【発明が解決しようとする課題】
本発明の目的は、中央集中化及びモジュール化が容易な伝送速度とは無関係な光受信装置を提供することにある。
【００１８】
【課題を解決するための手段】
上述した目的を達成するための本発明による伝送速度とは無関係な光受信装置は、
入力された光信号を光電変換した光感知信号を出力し、前記光感知信号の伝送速度を示した電圧レベルを有する伝送速度感知信号を出力する伝送速度感知部と、
前記伝送速度が変更された場合に変化感知信号を出力する変化感知部と、
前記伝送速度感知部の内部温度を感知し、前記内部温度を示す温度感知信号を出力する温度感知部と、
予め設定された基準クロックによって前記光感知信号のデータ及びクロックを再生し、クロック補正信号が受信される場合に前記クロック補正信号に対応する基準クロックによって前記光感知信号のデータ及びクロックを再生する信号再生部と、
前記変化感知信号が受信される場合に前記伝送速度感知信号の電圧レベルから前記光感知信号の伝送速度値を算出し、前記温度感知信号が示す温度値に基づいて前記算出された伝送速度値の温度による誤差を補償した温度補償された伝送速度値を算出し、前記温度補償された伝送速度値を示すクロック補正信号を前記信号再生部に出力する制御部と、を含む。
【００１９】
さらに、本発明による伝送速度とは無関係な光受信装置は、
それぞれ入力された光信号を光電変換した光感知信号を出力し、前記光感知信号の伝送速度を示した電圧レベルを有する伝送速度感知信号を出力する多数の伝送速度感知部と、
それぞれ前記伝送速度感知部に連結され該当光感知信号の伝送速度が変更された場合に変化感知信号を出力する多数の変化感知部と、
それぞれ前記伝送速度感知部に連結され内部温度を感知し、前記内部温度を示す温度感知信号を出力する多数の温度感知部と、
それぞれ予め設定された基準クロックによって前記各伝送速度感知部に対応する光感知信号のデータ及びクロックを再生し、クロック補正信号が受信される場合に前記クロック補正信号に対応する基準クロックによって前記光感知信号のデータ及びクロックを再生する多数の信号再生部と、
前記多数の伝送速度感知部の中、変化感知信号を出力する伝送速度感知部を識別し、前記識別された伝送速度感知部が出力する伝送速度感知信号の電圧レベルから該当光感知信号の伝送速度値を算出し、該当温度感知信号が示す温度値に基づいて前記算出された伝送速度値の温度による誤差を補償した温度補償された伝送速度値を算出し、前記温度補償された伝送速度値を示すクロック補正信号を前記識別された伝送速度感知部に対応する信号再生部に出力する制御部と、を含む。
【００２０】
【発明の実施の形態】
以下、本発明の望ましい実施形態を添付図を参照しつつ詳細に説明する。下記の発明において、本発明の要旨のみを明瞭にする目的で、関連した公知機能又は構成に関する具体的な説明は省略する。
【００２１】
図３は本発明の望ましい実施形態による伝送速度とは無関係な光受信装置を示した図である。前記光受信装置は、伝送速度感知部３００、変化感知部３１０、温度感知部３２０、信号再生部３５０、制御部３３０により構成される。
【００２２】
前記伝送速度感知部３００は入力光信号を光電変換した光感知信号３０７を出力し、前記光感知信号３０７の伝送速度を示す電圧レベルを有する伝送速度感知信号３０２を出力する。
【００２３】
図４は前記伝送速度感知部３００を示した図である。前記伝送速度感知部３００は光電変換器３０１、バッファ３０８、遅延器３０３、演算器３０４、フィルタ３０５及びＡ／Ｄ変換器３０６により構成される。前記伝送速度感知部３００の動作に対する説明は図１及び図２を参照してすでに記述したので、これに対する説明は省略する。
【００２４】
前記変化感知部３１０は前記光信号の伝送速度が変更された場合に変化感知信号３１２を出力する。即ち、前記変化感知部３１０は伝送速度が変更される直前に出力された伝送速度感知信号と変更された後に出力された伝送速度感知信号３０２を比較し、その伝送速度の変更を示す変化感知信号３１２を出力する。前記変化感知部３１０の例にフィードバック（ｆｅｅｄｂａｃｋ）構造を有する変化量増幅部（ｖａｒｉａｔｉｏｎ  ａｍｐｌｉｆｉｅｒ）、またはＰＬＬ回路（ｐｈａｓｅ  ｌｏｃｋｅｄ  ｌｏｏｐ  ｃｉｒｃｕｉｔ）として変更直前の伝送速度感知信号を基準入力とし、時間の流れによって続けてアップデートされる前記基準入力と変更後の伝送速度感知信号３０２を比較してその伝送速度の変更を示す変化感知信号３１２を出力する。時間的に比較した時、前記基準入力が前記変更後の伝送速度感知信号３０２より先立つ。
【００２５】
前記温度感知部３２０は前記伝送速度感知部３００の内部温度を感知し、その内部温度を示す温度感知信号３２２を出力する。
【００２６】
前記信号再生部３５０は基準クロック発生部３５２及びＣＤＲ３５６により構成され、前記基準クロック発生部３５２は予め設定された基準クロックを発生させ、クロック補正信号３３６が受信される場合に前記クロック補正信号３３６に対応する基準クロック３５４を発生させる。即ち、前記信号再生部３５０は前記光感知信号３０７の伝送速度変更がない場合には予め設定された基準クロックを発生させ、伝送速度変更があることを示す前記クロック補正信号３３６が入力される場合には前記クロック補正信号３３６に対応する基準クロック３５４を発生させるものである。
【００２７】
前記ＣＤＲ３５６は前記基準クロック３５４によって前記光感知信号３０７のデータ及びクロックを再生する。
【００２８】
前記制御部３３０は識別部３３２及び算出部３３４により構成され、前記識別部３３２は前記変化感知信号３１２が受信されたかを周期的に点検して、前記変化感知信号３１２が受信されると共に前記算出部３３４に変化感知信号３１２が受信されたことを知らせる。
【００２９】
前記算出部３３４は前記変化感知信号３１２が受信されると、前記伝送速度感知信号３０２の電圧レベルから前記光感知信号３０７の伝送速度値を算出し、前記温度感知信号３２２が示す温度値に基づいて前記算出された伝送速度値の温度による誤差を補償した温度補償された伝送速度値を算出し、前記温度補償された伝送速度値を示すクロック補正信号３３６を前記基準クロック発生部３５２に出力する。前記算出部３３４は前記温度補償された伝送速度値の算出時、予め貯蔵されているルックアップテーブル（ｌｏｏｋ−ｕｐ  ｔａｂｌｅ）３４０から前記温度による伝送速度値の誤差を読み出し、前記読み出された誤差を補償した温度補償された伝送速度値を算出する。また、前記温度補償された伝送速度値を示すクロック補正信号３３６は前記変化感知部３１０の基準入力になることができる。
【００３０】
図５は本発明の他の実施形態による伝送速度とは無関係な光受信装置を示した図である。前記光受信装置は多数の伝送速度感知部５００、多数の変化感知部５１０、多数の温度感知部５２０、多数の信号再生部６００、第１Ｄ／Ａ変換部５３０、インタフェース部（ｉｎｔｅｒｆａｃｅ）５４０、制御部５６０及び第２Ａ／Ｄ変換部５９０により構成される。
【００３１】
前記多数の伝送速度感知部５００はそれぞれ入力光信号を光電変換した光感知信号５０２を出力し、前記光感知信号５０２の伝送速度を示す電圧レベルを有する伝送速度感知信号５０４を出力する。前記各伝送速度感知部５００の構成は図４に示されている。
【００３２】
前記多数の変化感知部５１０はそれぞれ前記伝送速度感知部５００に連結され該当光感知信号５０２の伝送速度が変更された場合に変化感知信号５１２を出力する。
【００３３】
前記多数の温度感知部５２０はそれぞれ前記伝送速度感知部５００に連結され内部温度を感知し、前記内部温度を示す温度感知信号５２２を出力する。
【００３４】
前記多数の信号再生部６００はそれぞれ予め設定された基準クロックによって前記各伝送速度感知部５００に対応する光感知信号５０２のデータ及びクロックを再生し、クロック補正信号５６８が受信される場合に前記クロック補正信号５６８に対応する基準クロック６０４によって前記光感知信号５０２のデータ及びクロックを再生する。
【００３５】
前記第１Ｄ／Ａ変換部５３０は前記多数の伝送速度感知信号５０４及び多数の変化感知信号５１２をアナログ変換して出力する。
【００３６】
前記インタフェース部５４０は前記多数の伝送速度感知信号５０４、多数の変化感知信号５１２及び多数の温度感知信号５２２を前記制御部５６０に出力し、前記制御部５６０から入力されるクロック補正信号５６８を前記信号再生部６００に出力する。前記インタフェース５４０は前記伝送速度とは無関係な光受信装置で前記制御部５６０の入出力信号に対する伝達媒体になる。
【００３７】
前記制御部５６０は第１Ａ／Ｄ変換部５６２、識別部５６４、算出部５６６及び第２Ｄ／Ａ変換部５７０により構成される。
【００３８】
前記第１Ａ／Ｄ変換部５６２は前記インタフェース部５４０を通じて入力されるアナログ信号をディジタル信号に変換する。
【００３９】
前記識別部５６４は前記多数の伝送速度感知部５００の中、変化感知信号５１２を出力する伝送速度感知部５００を識別し、その識別結果を前記算出部５６６に知らせる。前記算出部５６６は前記識別された伝送速度感知部５００が出力する伝送速度感知信号５０４の電圧レベルから該当光感知信号５０２の伝送速度値を算出し、該当温度感知信号５２２が示す温度値に基づいて前記算出された伝送速度値の温度による誤差を補償した温度補償された伝送速度値を算出し、前記温度補償された伝送速度値を示すクロック補正信号５６８を出力する。前記算出部５６６は前記温度補償された伝送速度値の算出時、予め貯蔵されているルックアップテーブル５８０から前記温度による伝送速度値の誤差を読み出し、前記読み出された誤差を補償した温度補償された伝送速度値を算出する。
【００４０】
前記第２Ｄ／Ａ変換部５７０は前記クロック補正信号５６８をアナログ信号に変換し、前記アナログ変換されたクロック補正信号は前記インタフェース部５４０を経て前記第２Ａ／Ｄ変換部５９０に入力される。前記第２Ａ／Ｄ変換部５９０は前記クロック補正信号５６８をディジタル変換して対応する基準クロック発生部６０２に出力する。
【００４１】
【発明の効果】
上述したように、本発明による伝送速度とは無関係な光受信装置は制御部とその残りの素子を分離することにより、中央制御化及びモジュール化が容易であるとの利点がある。
【００４２】
さらに、本発明による伝送速度とは無関係な光受信装置は中央制御化及びモジュール化ができるようになることにより、伝送速度感知部の追加、または除去ができるとの利点がある。
【図面の簡単な説明】
【図１】従来の伝送速度とは無関係な光受信装置を示す図である。
【図２】図１に示された伝送速度感知部を示した図である。
【図３】本発明の望ましい一実施形態による伝送速度とは無関係な光受信装置を示した図である。
【図４】図３に示された伝送速度感知部を示した図である。
【図５】本発明の他の実施形態による伝送速度とは無関係な光受信装置を示した図である。
【符号の説明】
３００  伝送速度感知部
３０１  光電変換器
３０２  伝送速度感知信号
３０３  遅延器
３０４  演算器
３０５  フィルタ
３０６  Ａ／Ｄ変換器
３０７  光感知信号
３０８  バッファ
３１０  変化感知部
３１２  変化感知信号
３２０  温度感知部
３２２  温度感知信号
３３０  制御部
３３２  識別部
３３４  算出部
３３６  クロック補正信号
３４０  ルックアップテーブル
３５０  信号再生部
３５２  基準クロック発生部
３５４  基準クロック
３５６  ＣＤＲ
５００  伝送速度感知部
５０２  光感知信号
５０４  伝送速度感知信号
５１０  多数の変化感知部
５１２  変化感知信号
５２０  多数の温度感知部
５２２  温度感知信号
５３０  第１Ｄ／Ａ変換部
５４０  インタフェース部
５６０  制御部
５６２  第１Ａ／Ｄ変換部
５６４  識別部
５６６  算出部
５６８  クロック補正信号
５７０  第２Ｄ／Ａ変換部
５８０  ルックアップテーブル
５９０  第２Ａ／Ｄ変換部
６００  多数の信号再生部
６０２  基準クロック発生部
６０４  基準クロック
【図１】
0003612047.tif 000002
【図２】
0003612047.tif 000003
【図３】
0003612047.tif 000004
【図４】
0003612047.tif 000005
【図５】
0003612047.tif 000006